(57)【特許請求の範囲】
【請求項１】
表面に折れ線（２６）が付された所定形状のプラスチックシートであって折れ線（２６）に沿ってシートを折り曲げることにより被包装物である物品（３）の前面、後面、下面及び上面を囲い、且つ左右を開口して物品（３）を収納する包装ケース（２）に組み立てられるケース組み立て用シート（２Ｓ）において、
シート上に物品（３）の前面、後面、下面及び上面を囲う前面壁（２１）、下面壁（２２）、後面壁（２３）、上面壁（２４）及び糊代片（２５）が折れ線（２６）で区画されて直列して設けられているとともに、
下面壁（２２）に、当該面壁の面内から膨出して包装ケース（２）の内方へ突出した凸面部であって物品（３）の下端部外周に係合する成形保持部（２２Ａ，２２Ａ）が前記面壁の包装ケース（２）の左右の開口に面する位置にそれぞれ設けられ、
後面壁（２３）に、当該面壁の面内から膨出して包装ケース（２）の内方へ突出した凸面部であって物品（３）の外周面に係合する成形保持部（２３Ａ）が設けられ、
上面壁（２４）に、当該面壁の面内から膨出して包装ケース（２）の内方へ突出した凸面部であって物品（３）の上端部外周に係合する成形保持部（２４Ａ，２４Ａ）が前記面壁の包装ケース（２）の左右の開口に面する位置にそれぞれ設けられた構成を有することを特徴とするケース組み立て用シート（２Ｓ）。
【請求項２】
表面に折れ線（２６）が付された所定形状のプラスチックシートであって折れ線（２６）に沿ってシートを折り曲げることにより被包装物である物品（３）の前面、後面、下面及び上面を囲い、且つ左右を開口して物品（３）を収納する包装ケース（２）に組み立てられるケース組み立て用シート（２Ｓ）において、
シート上に物品（３）の前面、後面、下面及び上面を囲う前面壁（２１）、下面壁（２２）、後面壁（２３）、上面壁（２４）及び糊代片（２５）が折れ線（２６）で区画されて直列して設けられているとともに、
下面壁（２２）に、当該面壁の面内から膨出して包装ケース（２）の内方へ突出した凸面部であって物品（３）の下端部外周に係合する成形保持部（２２Ａ，２２Ａ）が前記面壁の包装ケース（２）の左右の開口に面する位置にそれぞれ設けられ、
後面壁（２３）に、当該面壁の面内から膨出して包装ケース（２）の内方へ突出した凸面部であって物品（３）の外周面に係合する成形保持部（２３Ａ）が設けられ、
上面壁（２４）に、当該面壁の面内から膨出して包装ケース（２）の内方へ突出した凸面部であって物品（３）の上端部外周に係合する成形保持部（２４Ａ，２４Ａ）が設けられ、且つ当該上面壁（２４）が物品（３）を包装ケース（２）に収納した状態で物品（３）の端面に密着して接合するように設けられた構成を有することを特徴とするケース組み立て用シート（２Ｓ）。
【請求項３】
請求項１又は２に記載のケース組み立て用シート（２Ｓ）をその表面に付された折れ線（２６）に沿って折り曲げ、糊代片（２５）を前面壁（２１）に固着して組み立てられる包装ケース（２）。
【請求項４】
請求項３に記載の包装ケース（２）に物品（３）が収納されてなる包装体（１）。
【発明の詳細な説明】
【技術分野】
【０００１】
本発明は、透明度の高いプラスチックにより成形されたシートを所定形状に打ち抜き、その表面に形成された折れ線に沿って折り曲げて組み立てられ、化粧品や日用品その他の物品を収納して販売や展示に供するのに好適なプラスチックシート製の包装ケース及びこれを組み立てるためのケース組み立て用シートの構造に関する。
【背景技術】
【０００２】
化粧品などの店頭で展示販売に供される物品を包装する包装ケースとして、表面に折れ線が付された所定形状の透明なプラスチックシートを前記折れ線に沿って折り曲げて組み立てられる構成のものが利用されている。
図１３は従来の包装ケースの一例を示し、同図（Ａ）に示された包装ケース１００は、被包装物である物品１１０の前面、後面、下面及び上面を囲う前面壁１０１、後面壁１０２、下面壁１０３及び上面壁１０４、１０４を備え、一側の上面壁１０４の端部に連設させた吊り下げ孔１０５ａが形成されてなる孔吊り下げ片１０５に、他側の上面壁１０４の端部に設けた糊代片１０６を接着して左右両側が開口した縦長なリング状に形成され、開口からケース内部に挿入された物品１１０の上部を前面壁１０１及び後面壁１０２の内側へ傾斜して屈曲した部分で挟持して、物品１１０がケース内部に保持されるように構成したものである。
また、同図（Ｂ）に示された包装ケース１００は、前面壁１０１に連設した上面壁１０４に挿通口１０４ａを形成し、上面壁１０４の端部に設けた糊代片１０６を後面壁１０２に接着して左右が開口した筒状に形成され、開口からケース内部に挿入した物品１１０の首部１１０ａを挿通口１０４ａに係入させることにより、物品１１０がケース内部に保持されるように構成したものである（例えば特許文献１、２参照）。
【先行技術文献】
【特許文献】
【０００３】
【特許文献１】特開２０００−１９１０３２号公報
【特許文献２】特開２０００−１９１０３１号公報
【発明の概要】
【発明が解決しようとする課題】
【０００４】
図１３に示された包装ケース１００は、簡単に組み立てることが可能であり、物品１１０をケース内部に起立させた状態で包装して展示販売に供することができるものの、同図（Ａ）に示されたものは搬送時や展示作業時などのケースを取り扱う過程で包装ケース１００の左右の開口から物品１１０が脱落して抜け落ち易いという問題がある。
一方、同図（Ｂ）に示されたものは上面壁１０４の挿通口１０４ａに物品１１０の首部１１０ａを係入させてあるので、物品１１０がケース内部から脱落し難いものの、ケース内部から物品１１０を取り出す際に挿通口１０４ａの周縁に首部１１０ａが引っ掛かりやすく、物品１１０と包装ケース１００とを分離し難いという問題がある。
また、図示した包装ケース１００は何れもキャップ付きの瓶体のような上部が先細った形態の物品１１０の包装に適するように形成されたものであり、他の形態の物品、例えば円柱状の口紅ケースといった太さが略均一な物品をケース内部に保持して包装するには適さない。
【０００５】
本発明は従来技術の有するこのような問題点に鑑み、所定形状の透明なプラスチックシートを折り曲げて簡単に包装ケースに組み立て可能であり、包装する物品の形態に応じてケース内部で位置をずらしたり傾けたりせずに物品を所定の位置に安定的に保持して包装することができ、また、包装された物品をケース内部から容易に取り出すことができるようにすることを課題とする。
【課題を解決するための手段】
【０００６】
前記課題を解決するため本発明は、表面に折れ線が付された所定形状のプラスチックシートであって折れ線に沿ってシートを折り曲げることにより被包装物である物品の前面、後面、下面及び上面を囲い、且つ左右を開口して物品を収納する包装ケースに組み立てられるケース組み立て用シートにおいて、
シート上に物品の前面、後面、下面及び上面を囲う前面壁、下面壁、後面壁、上面壁及び糊代片が折れ線で区画されて直列して設けられているとともに、
下面壁に、当該面壁の面内から膨出して包装ケースの内方へ突出した凸面部であって物品の下端部外周に係合する成形保持部が前記面壁の包装ケースの左右の開口に面する位置にそれぞれ設けられ、
後面壁に、当該面壁の面内から膨出して包装ケースの内方へ突出した凸面部であって物品の外周面に係合する成形保持部が設けられ、
上面壁に、当該面壁の面内から膨出して包装ケースの内方へ突出した凸面部であって物品の上端部外周に係合する成形保持部が前記面壁の包装ケースの左右の開口に面する位置にそれぞれ設けられた構成を有することを特徴とする。
【０００７】
また、本発明は、表面に折れ線が付された所定形状のプラスチックシートであって折れ線に沿ってシートを折り曲げることにより被包装物である物品の前面、後面、下面及び上面を囲い、且つ左右を開口して物品を収納する包装ケースに組み立てられるケース組み立て用シートにおいて、
シート上に物品の前面、後面、下面及び上面を囲う前面壁、下面壁、後面壁、上面壁及び糊代片が折れ線で区画されて直列して設けられているとともに、
下面壁に、当該面壁の面内から膨出して包装ケースの内方へ突出した凸面部であって物品の下端部外周に係合する成形保持部が前記面壁の包装ケースの左右の開口に面する位置にそれぞれ設けられ、
後面壁に、当該面壁の面内から膨出して包装ケースの内方へ突出した凸面部であって物品の外周面に係合する成形保持部が設けられ、
上面壁に、当該面壁の面内から膨出して包装ケースの内方へ突出した凸面部であって物品の上端部外周に係合する成形保持部が設けられ、且つ当該上面壁が物品を包装ケースに収納した状態で物品の端面に密着して接合するように設けられた構成を有することを特徴とする。
【０００８】
前記構成のケース組み立て用シートは、その前面壁の上部に、吊り下げフックに掛止するための貫通孔やスリット、切り欠け部などからなる吊り下げ部を設けて構成することができる。
なお、本発明において、被包装物の下面は、包装ケース内に被包装物を起立させた状態でケースの下面壁上に載る部位の面、被包装物の上面は、これと反対側の部位の面をいう。例えば被包装物が蓋付きのチューブ状の物品であれば、通常の使用状態では蓋側が上面として扱われるが、本発明ではケースの下面壁に載る蓋側の端面が下面、チューブの端部が上面となる。また、被包装物の前面と後面は、包装ケースに被包装物が収納されたときに被包装物の周側面のうちでケースの前面壁と後面壁にそれぞれ面する部分をいい、必ずしも被包装物の周側面でその商品名などが表示されている側の面が前面、その反対側の面が後面になるとは限らない。本発明の包装ケースの後面壁に前記商品名の表示面が面するように被包装物を収納したり、ケースの前面壁と後面壁に被包装物の左右側面がそれぞれ面するように収納したりしてもよい。下面壁と上面壁に設ける成形保持部は、包装される物品の形状に則して、下面壁と上面壁の両方、又は何れか一方に設けることができ、前面壁と後面壁に設ける成形保持部も同様に、前面壁と後面壁の両方、又は何れか一方に設けることができる。
【０００９】
本発明の包装ケースは、前記構成のケース組み立て用シートを用い、その表面に付された折れ線に沿ってシートを折り曲げ、糊代片を前面壁に固着することにより組み立てられる。
また、組み立てられた包装ケース内に物品が収納されて包装体が構成され、これを展示販売に供することができる。この場合、ケース組み立て用シートを折り曲げて包装ケースを組み立て、これに物品を収納して包装体を構成しても、或いは展開状態としたケース組み立て用シートの面内に物品を配置した状態でシートを折れ線に沿って折り曲げて、ケースを組み立てつつ物品を包装して包装体を構成しても何れでもよい。
【００１０】
本発明のケース組み立て用シートによれば、シート上に前面壁、下面壁、後面壁、上面壁及び糊代片が折れ線で区画されて直列して設けられており、各折れ線に沿ってシートを屈曲し、シートの両端に位置する前面壁と糊代片とを重ね合わせ、重合面を接着剤や粘着テープ、ステープラーなどの固着手段を用いて固着することにより、左右が開口していて前後面壁と上下面壁とで囲われた空間部分を物品の収納部とした包装ケースを組み立てることができる。
シート表面に付された折れ線は、前面壁、下面壁、後面壁、上面壁及び糊代片の各面壁間に互いに平行に形成されており、シートを折り曲げる軸方向が同じなので、前面壁、下面壁、後面壁及び上面壁を各折れ線に沿って各々内折れし、上面壁と糊代片を折れ線に沿って外折れするという簡易な操作で包装ケースの組み立てが可能である。
包装ケースに包装される物品は、前記の如く組み立てられた包装ケースの左右何れかの開口からケース内部に挿入して収納され、或いはケース組み立て用シートの面内に物品を配置した状態でケースを組み立てることにより収納されるが、ケース内部で物品はその外面が包装ケースの下面壁又は上面壁に形成された成形保持部に係合し、物品は前記下面壁と上面壁の間で直立した状態に保持される。
包装ケースの下面壁又は上面壁に形成される成形保持部は、下面壁又は上面壁の面内から膨出してケース内方へ突出し、包装される物品の下端部又は上端部の外周面や端面に係合して物品の収納位置を規制する凸面部（凸部や凸面部）であり、包装される物品の端部形状に応じて、例えばケース内部で物品の端部の位置がずれないように物品の端部の周囲を囲うように凸面部（凸部）を端部輪郭形状に沿って環状に連続させたり、端部輪郭の周囲に所定の間隔を開けて複数の凸面部（凸部）を突設させたりして設けることができる。
包装ケースの左右の開口から物品が脱落し難いように、成形保持部は下面壁又は上面壁の、前記左右の開口に面する位置に突出させて設けることが好ましい。この場合、成形保持部の突出高さは、包装ケースに物品を収納する際の作業性を損なわない範囲に設定される。また、包装ケースを傾けても物品がケースから脱落することなく、ケース内部に確実に保持されるようにするため、成形保持部は下面壁と上面壁の両方に設けることが好ましい。成形保持部を下面壁と上面壁の何れか一方にのみ設ける場合、ケースから物品を脱落し難くするため、成形保持部が設けられていない側の面壁、例えば下面壁のみに成形保持部を設ける場合の上面壁は、物品を包装ケースに収納した状態で物品の端面に密着して接合するように設けることが好ましい。
【００１１】
また、上下の面壁の一方又は両方に成形保持部を設けることに加え、包装ケースの前面壁又は後面壁に物品の外面に係合或いは接合する成形保持部が設けられていれば、この成形保持部によりケース内部における物品の変位が規制されてケース内部で物品が傾いたり位置がずれたりするようなことはなく、物品を直立した収納位置に安定的に保持することができる。
包装ケースの前面壁又は後面壁に形成される成形保持部は、包装される物品の前面又は後面に係合し或いは接合して物品の変位を規制する、前記面壁の面内から膨出してケース外方又は内方へ突出した凸面部（凹凸部や凹凸面部、湾曲面を有する凸部や凹部）であり、物品の前面又は後面の全体に接合する形状や一部に接合する形状に設けるなど、包装される物品の形状に則した形状に設けることができる。包装ケースの内方へ突出した複数のリブを包装される物品の外形状に則して配置したものでもよい。
また、包装ケースの剛性を高めるため、前面壁、後面壁、下面壁又は上面壁の各面壁の面内に補強用リブを設けることが好ましい。
補強用リブは、包装ケースの内方又は外方へ突出した凸部や凹部、凹凸溝など適宜な形状及び大きさに設けることができる。包装ケースの外方へ突出するように補強用リブを設ければ、シートを折れ線に沿ってケースに組み立てる際にリブが邪魔とならず好ましい。また、包装ケースの左右の開口に面した部分の剛性を高めるため、補強用リブは、左右の開口に面した各面壁の側端部の周縁部に沿って設けることが好ましい。各面壁の側端部の近傍に複数の補強用リブを設けてよい。
【００１２】
また、本発明は、表面に折れ線が付された所定形状のプラスチックシートであって折れ線に沿ってシートを折り曲げることにより被包装物の前面、後面、下面及び上面を囲う前面壁、後面壁及び下面壁を備えた包装ケースに組み立てられるケース組み立て用シートにおいて、シート上に前面壁、下面壁、後面壁及び糊代片が折れ線で区画されて直列して設けられているとともに、下面壁と後面壁の糊代片側の端部とに、包装ケースの内方へ突出していて被包装物の外面に係合する成形保持部が設けられた構成を有することを特徴とする。
さらに、表面に折れ線が付された所定形状のプラスチックシートであって折れ線に沿ってシートを折り曲げることにより被包装物の前面、後面、下面及び上面を囲う前面壁、後面壁及び下面壁を備えた包装ケースに組み立てられるケース組み立て用シートにおいて、シート上に前面壁、下面壁、後面壁及び糊代片が折れ線で区画されて直列して設けられ、前記下面壁に包装ケースの内方へ突出していて被包装物の外面に係合する成形保持部が設けられているとともに、前記前面壁及び／又は後面壁に包装ケースの外方又は内方へ突出していて被包装物の外面に係合する成形保持部が設けられた構成を有することを特徴とする。
これらのシートを折り曲げて組み立てられる包装ケースは、一端が太く、他端が狭小な蓋付きのチューブ状の物品などの包装に好適である。
また、本発明は、表面に折れ線が付された所定形状のプラスチックシートであって折れ線に沿ってシートを折り曲げることにより被包装物の前面、後面、下面及び上面を囲う前面壁、後面壁、下面壁及び上面壁を備えた包装ケースに組み立てられるケース組み立て用シートにおいて、シート上に前面壁、下面壁、後面壁、上面壁及び糊代片が折れ線で区画されて直列して設けられているとともに、後面壁に包装ケースの内方へ突出していて被包装物の上下端面、左右側面及び後面を包囲して被包装物を保持する成形保持部が設けられた構成を有することを特徴とする。
【００１３】
前記構成において、ケース組み立て用シートを構成するプラスチックシートの材質としては、耐折性が良好なポリエチレンテレフタレート、ポリプロピレン、ポリエチレン、ポリカーボネート、或いはポリ乳酸などの生物由来性樹脂、その他の樹脂単体又はこれらの複合体からなるプラスチックシートを用いることができる。特にポリエチレンテレフタレート製のシートは、透明性が良好で剛性が高い点で好ましく、中でもアモルファスＰＥＴ（Ａ−ＰＥＴ）は、より透明性が良好で且つ未延伸であるためシートの方向に関係なく強度が高い点で好ましい。
プラスチックシートの肉厚は、０．１〜０．８ｍｍに設定することができる。０．１ｍｍより薄いとシート面板の折れ曲がりや破損を来しやすくなり、０．８ｍｍよりも厚いと折り曲げ加工に要する圧力は大となる。耐折性や剛性などを考慮すると、０．２〜０．６ｍｍに設定することが好ましい。
プラスチックシートの表面に形成される、折れ線である折り曲げ罫線の種類は問わず、ミシン目などのスリットを断続させた罫線や凹穴状の押し罫線、Ｖ字やＵ字状、台形状の溝を断続又は連続させた罫線、溝内を二段溝状とした二段罫線、筋状の溝を平行に近接配置した罫線などプラスチックシートを罫線に沿って折り曲げることが可能な適宜な種類の罫線をケースの寸法やプラスチックシートの材質、剛性、厚みなどに応じて適宜に設定することができる。
【図面の簡単な説明】
【００１４】
【図１】（Ａ）〜（Ｃ）は本発明の第１実施形態の包装体の外観図、ケース組み立て用シートの平面図及び包装ケースの側面図である。
【図２】（Ａ）〜（Ｃ）は本発明の第２実施形態の包装体の外観図、ケース組み立て用シートの平面図及び包装ケースの側面図である。
【図３】（Ａ）〜（Ｃ）は本発明の第３実施形態の包装体の外観図、ケース組み立て用シートの平面図及び包装ケースの側面図である。
【図４】（Ａ）及び（Ｂ）は本発明の第４実施形態の包装体の外観図とケース組み立て用シートの展開斜視図である。
【図５】（Ａ）及び（Ｂ）は本発明の第５実施形態の包装体の外観図とケース組み立て用シートの展開斜視図である。
【図６】（Ａ）及び（Ｂ）は本発明の第６実施形態の包装体の外観図とケース組み立て用シートの展開斜視図である。
【図７】（Ａ）及び（Ｂ）は本発明の第７実施形態の包装体の外観図とケース組み立て用シートの展開斜視図である。
【図８】（Ａ）及び（Ｂ）は本発明の第８実施形態の包装体の外観図とケース組み立て用シートの展開斜視図である。
【図９】本発明の第９実施形態の包装体の外観図である。
【図１０】（Ａ）及び（Ｂ）は本発明の第１０実施形態の包装体の外観図とケース組み立て用シートの展開斜視図である。
【図１１】本発明の第１１実施形態のケース組み立て用シートの展開斜視図である。
【図１２】（Ａ）〜（Ｃ）は本発明の第１２実施形態の包装体の外観図、ケース組み立て用シートの平面図及び包装ケースの側面図である。
【図１３】（Ａ）及び（Ｂ）は従来の包装ケースで物品を包装した状態の外観図である。
【発明を実施するための形態】
【００１５】
本発明の好適な実施形態を図面に基づいて説明する。
図１は本発明の第１実施形態の包装体とケース組み立て用シートと包装ケースとを示しており、本形態の包装体１は、円柱状の物品３を包装するべく形成されたケース組み立てシート２Ｓを折り曲げて包装ケース２を構成し、この包装ケース２に物品３を収納して、ケース内部で物品３を立たせた状態に保持して展示販売に供されるように構成してある。
【００１６】
ケース組み立てシート２Ｓは、同図（Ｂ）に示されるように、透明な帯状プラスチックシートの表面に複数本の折れ線２６を所定間隔開けて平行に付設してなり、当該シート上に、物品３の前面、下面、後面及び上面を囲う、前面壁２１、下面壁２２、後面壁２３及び上面壁２４と糊代片２５とを各々の面壁間を折れ線２６で区画して直列に配置するとともに、下面壁２２と後面壁２３と上面壁２４とにケース内部に収納される物品３の外面に係合して物品３の収納位置を規制する成形保持部２２Ａ、２３Ａ、２４Ａをそれぞれ設けて形成してある。
より詳しくは、下面壁２２の成形保持部２２Ａと上面壁２４の成形保持部２４Ａは包装ケース２を組み立てた状態でケース内方へ突出する凸面部であり、下面壁２２の成形保持部２２Ａは物品３の下端凹面部に係合する下面壁２２の中央に設けた凸面部と、物品３の下端部周面に係合する下面壁２２の四隅に設けた凸面部とからなり、また、上面壁２４の成形保持部２４Ａは物品３の上端周面に係合する上面壁２２の左右両縁に設けた凸面部からなっている。下面壁２２の成形保持部２２Ａと上面壁２４の成形保持部２４Ａは、包装ケース２の左右の開口に面する位置にそれぞれ設け、ともに物品３の上下端部の輪郭に沿った形状に突設させてある。
後面壁２３の成形保持部２３Ａは、ケース外方へ突出する凸面部であり、物品３の上端部の略半面から下端部近傍に亘る外面の一部に係合するように、後面壁２２から物品３の外面に沿った断面円弧状の湾曲面を外方へ膨出させて形成してある。
また、前記前面壁２１、下面壁２２、後面壁２３及び上面壁２４の両側縁部には、縁部を外方へ湾曲させてなる補強用リブ２９を設けてある。
【００１７】
そして、前記構成のケース組み立て用シート２Ｓの前面壁２１、下面壁２２、後面壁２３及び上面壁２４を各面壁の折れ線２６に沿って各々内折れするとともに上面壁２４と糊代片２５を折れ線２６に沿って外折れし、糊代片２５と前面壁２１の重合面を接着剤などで固着することにより、同図（Ｃ）に示されるように、左右が開口していて前後面壁２１、２３と上下面壁２２、２４とで囲われた空間部分を物品３の収納部とした包装ケース２が組み立てられる。
かかる包装ケース２の左右何れかの開口からケース内部に物品３を挿入して前記収納部に収納することにより包装体１が構成され、ケース内部で物品３はその上下端部が上下面壁２２、２４の成形保持部２２Ａ、２４Ａに係合し、また、後面側の周面の一部が後面壁２３の成形保持部２３Ａに係合して直立した状態に保持され、包装体１が斜めに傾いたり振動や衝撃が加わったりしても、前記各成形保持部２２Ａ、２３Ａ、２４Ａにより物品３の位置が規制され、ケース内部で収納位置がずれたり傾いたり、左右の開口から抜け落ちたりすることはない。
また、物品３の取り出しは、糊代片２５を剥がして包装ケース２を展開し、或いは包装ケース２から物品３を押し出すことにより行われ、簡単な操作で物品３から包装ケース２を分離することが可能である。
【００１８】
図２は本発明の第２実施形態の包装体とケース組み立て用シートと包装ケースとを示しており、本形態は前記形態と同じ円柱状の物品３を包装ケース２に収納して包装体１を構成したものである。
詳しくは、ケース組み立て用シート２Ｓは、その下面壁２２に物品３の下端凹面部に係合する凸面部からなる成形保持部２２Ａ、上面壁２４の左右両側に物品３の上端周面に係合する凸面部からなる成形保持部２４Ａをそれぞれケース内方へ突出させて設け、また、前面壁２１と後面壁２３の両方の面内に、物品３の上下端部間の外面の一部に係合する断面円弧状の湾曲した凸面部からなる成形保持部２１Ａ、２３Ａをそれぞれケース外方へ膨出させて形成してある。
そして、前記形態と同様にケース組み立て用シート２Ｓの各面壁を折れ線２６に沿って折り曲げ、糊代片２５と前面壁２１の重合面を固着して、同図（Ｃ）に示されるように、左右が開口していて前後面壁２１、２３と上下面壁２２、２４とで囲われた空間部分を物品３の収納部とした包装ケース２を組み立て、包装ケース２の左右の何れかの開口からケース内部に物品３を挿入して前記収納部に収納して包装体１が構成されている。
【００１９】
図３は本発明の第３実施形態の包装体とケース組み立て用シートと包装ケースとを示しており、本形態は比較的大径の臼型の物品３を包装ケース２に収納して包装体１を構成したものである。
本形態では、ケース組み立て用シート２Ｓが、第１実施形態と同様に、その下面壁２２と後面壁２３と上面壁２４とにケース内部に収納される物品３の外面に係合して物品３の収納位置を規制する成形保持部２２Ａ、２３Ａ、２４Ａをそれぞれ設けて形成されており、包装ケース２の組み立ては、展開状態のケース組み立て用シート２Ｓの下面壁２２上に物品３を載せた状態で各面壁を折れ線２６に沿って折り曲げ、糊代片２５と前面壁２１との重合面を固着することにより行われ、ケース内部の収納位置に物品３を保持して包装体１が構成される。
【００２０】
図４は本発明の第４実施形態の包装体とケース組み立て用シートを示しており、本形態はケース組み立て用シート２Ｓを、その下面壁２２の包装ケース２の左右の開口に面する位置に物品３の下端部の周面に係合する凸面部からなる成形保持部２２Ａをそれぞれ設ける一方、上面壁２４には成形保持部を設けずに物品３の上端面に接合するように設けるとともに、後面壁２３に物品３の上端部の略半面から側面の中間高さ位置の近傍に亘る外面の一部に係合するように、物品３の外面に沿った湾曲した凸面形状の成形保持部２３Ａをケース外方へ突出させて形成し、当該シートの各折れ線２６に沿って各面壁を折り曲げて包装ケース２を組み立て、前記第１実施形態と同様の円柱状の物品３をケース内部に収納して包装体１を構成したものである。
【００２１】
図５は本発明の第５実施形態の包装体とケース組み立て用シートを示しており、本形態も前記形態と同様に、ケース組み立て用シート２Ｓをその下面壁２２と後面壁２３に成形保持部２２Ａ、２３Ａをそれぞれ設けて形成し、シートの各折れ線２６に沿って各面壁を折り曲げて包装ケース２を組み立て、前記第３実施形態と同様の臼型の物品３をケース内部に収納して包装体１を構成したものである。
【００２２】
図６は本発明の第６実施形態の包装体とケース組み立て用シートを示しており、本形態はケース組み立て用シート２Ｓをその下面壁２２と上面壁２４の左右両縁にケース内方へ突出していて物品３の上下端部の周面に係合する凸面部からなる成形保持部２２Ａ、２４Ａをそれぞれ設けるとともに、その後面壁２３にケース内方へ突出して物品３の側面に係合する湾曲面を備えた凸面部からなる成形保持部２３Ａを設けて形成し、展開状態のケース組み立て用シート２Ｓの下面壁２２上に物品３を載せた状態で各面壁を折れ線２６に沿って折り曲げ、糊代片２５と前面壁２１との重合面を固着して包装ケース２を組み立て、ケース内部の収納位置に物品３を保持して包装体１を構成したものである。
【００２３】
図７は本発明の第７実施形態の包装体とケース組み立て用シートを示しており、本形態はケース組み立て用シート２Ｓをその下面壁２２と上面壁２４の四隅にケース内方へ突出していて物品３の上下端部の周面に係合する凸面部からなる成形保持部２２Ａ、２４Ａをそれぞれ設けるとともに、その後面壁２３にケース内方へ突出していて物品３の側面に係合する湾曲面を備えた凸面部からなる成形保持部２３Ａを設けて形成し、前記形態と同様に、展開状態のケース組み立て用シート２Ｓの下面壁２２上に物品３を載せた状態で各面壁を折れ線２６に沿って折り曲げ、糊代片２５と前面壁２１との重合面を固着して包装ケース２を組み立て、ケース内部の収納位置に物品３を保持して包装体１を構成したものである。
【００２４】
図８は本発明の第８実施形態の包装体とケース組み立て用シートを示しており、本形態はケース組み立て用シート２Ｓをその下面壁２２の面内の包装ケース２の左右の開口に面する位置と上面壁２４の左右縁部に、ケース内方へ突出していて物品３の上下端部の周面に係合する凸面部からなる成形保持部２２Ａ、２４Ａをそれぞれ設けるとともに、その後面壁２３にケース内方へ突出していて物品３の側面に係合する湾曲面を備えた凸面部からなる成形保持部２３Ａを設けて形成し、前記形態と同様に、展開状態のケース組み立て用シート２Ｓの下面壁２２上に物品３を載せた状態で包装ケース２を組み立て、ケース内部の収納位置に物品３を保持して包装体１を構成したものである。上面壁２３は物品３を包装ケース２に収納した状態で物品３の端面に密着して接合するように設けてある。
【００２５】
図９は本発明の第９実施形態の包装体を示しており、これは、第８実施形態と同様な、一端が太く、他端が狭小な蓋付きのチューブ状の物品３の包装に適するように包装ケース２を形成し、これに物品３を収納して包装体１を構成したものである。
詳しくは、本形態では、ケース組み立てシート２Ｓを物品３の前面、下面、後面及び上面を囲う、前面壁２１、下面壁２２及び後面壁２３と糊代片２５とを各々の面壁間を折れ線２６で区画して直列に配置し、下面壁２２と後面壁２３の糊代片２５側の端部とにケース内方へ突出した成形保持部２２Ａ、２３Ａをそれぞれ設けて形成し、当該シート２Ｓを折り曲げて包装ケース２を組み立て、その内部に収納された物品３が、その上下端部が下面壁２２の成形保持部２２Ａと後面壁２３の成形保持部２３Ａに係合して直立した状態に保持され、成形保持部２２Ａ、２３Ａで物品３の収納位置が規制されるように構成してある。
【００２６】
図１０は本発明の第１０実施形態の包装体とケース組み立て用シートを示しており、これは包装ケース２をその後面壁２３にケース内方へ突出していて物品３の周囲を包囲して保持する凹陥部である成形保持部２３Ａを設け、この成形保持部２３Ａ内に物品３を収納して包装体１を構成したものである。
詳しくは、ケース組み立て用シート２Ｓは、シート上に折れ線２６で区画された前面壁２１、下面壁２２、後面壁２３及び上面壁２４と糊代片２５とを直列に配置するとともに、後面壁２３の面内にケース内方へ突出した台座部２７を設け、この台座部２７内に物品３の前面を除く周面、すなわち上面、下面、左右側面及び後面が包囲されるように物品３の外面形状及び厚みに則して凹んだ凹陥部である成形保持部２３Ａを設けて形成してある。なお、符番２８は、前面壁２１の上部に設けた吊り下げ部であるフック用通孔である。
そして、前記成形保持部２３Ａに物品３を収納した状態で、各面壁を折れ線２６に沿って折り曲げ、糊代片２５と前面壁２１の重合面を固着して包装ケース２を組み立てることにより、ケース内部の収納位置に物品３を保持した包装体１が構成される。
本形態においても、ケース内部で物品３が、その外面が成形保持部２３Ａに係合して直立した状態に保持され、包装体１が斜めに傾いたり振動や衝撃が加わったりしても、成形保持部２４Ａ内で物品３の位置が規制されるため、ケース内部で収納位置がずれたり傾いたり左右の開口から抜け落ちたりすることはない。
【００２７】
図１１は本発明の第１１実施形態のケース組み立て用シートを示しており、これは第１０実施形態と同様に後面壁２３の面内に台座部２７を設けるとともに台座部２７内に物品３の外面及び厚みに則して凹んだ凹陥部である成形保持部２３Ａを設け、さらにこの成形保持部２３Ａ内に物品３の上下端部に嵌合する位置決め用突起２３Ａ１、２３Ａ１を形成したものである。凹陥部である成形保持部２３Ａは、収納する物品３の形状に応じて形成可能である。
【００２８】
図１２は本発明の第１２実施形態の包装体とケース組み立て用シートを示しており、これは前記第８、第９実施形態と同様なチューブ状の物品３の包装に適するように構成したものである。
詳しくは、本形態のケース組み立てシート２Ｓは、包装する物品３の前面、下面、後面及び上面を囲う、前面壁２１、下面壁２２及び後面壁２３と糊代片２５とを各々の面壁間を折れ線２６で区画して直列に配置し、下面壁２２にケース内方へ突出した成形保持部２２Ａを設けるとともに、後面壁２３にケース外方へ突出した成形保持部２３Ａを設けて形成してある。
成形保持部２２Ａは、下面壁２２の両側に、物品３の蓋部の外周面に外形に沿った輪郭の凸部をそれぞれ形成してなるものであり、両凸部の内面に物品３の蓋部が係合するように設けてある。成形保持部２３Ａは、後面壁２３に、物品３の後面の一部が接合する湾曲面を有する凸部と、チューブ状物品３の尻部である幅広な端部が係合する凸段部を形成してなるものであり、包装ケース２内に蓋部を下方に向けて収納された物品３の後面部と尻部に成形保持部２３Ａが接合して収納位置を規制するように設けてある。
本形態の包装ケース２は、展開状態のケース組み立て用シート２Ｓを表面に設けた各折れ線２６に沿って前記各面壁を折り曲げ、糊代片２５を前面壁２２に重ね合わせ、重合面を接着剤や粘着テープ、ステープラーなどの固着手段を用いて固着することにより組み立てられる。包装ケース２の組み立ては、展開したケース組み立て用シート２Ｓの下面壁２２上に物品３を載せた状態で前記の如く各面壁を折り曲げて、つまり物品３の包装と同時に行うことができ、また、包装ケース２を組み立てた後、包装ケース２の左右開口部から物品３をケース内部に挿入し、物品３の蓋部と尻部及び後面を前記成形保持部２２Ａ、２３Ａに係合させて収納してもよい。
包装ケース２に収納された物品３は、ケース内部で物品３の蓋部が成形保持部２２Ａに、その後面の一部と尻部が成形保持部２３Ａにそれぞれ係合して直立した状態に保持され、包装体１が斜めに傾いたり振動や衝撃が加わったりしても、両成形保持部２２Ａ、２３Ａ内で物品３の位置が規制されるため、ケース内部で収納位置がずれたり傾いたり左右の開口から抜け落ちたりすることはない。
【００２９】
なお、図示した包装体１、ケース組み立て用シート２Ｓ及び包装ケース３は、本発明の実施形態の一例を示すものであり、本発明はこれらに限定されず、収納する物品の形態や包装の態様などに応じて他の適宜な形態で構成することが可能である。各図に示した構成の組み合わせは適宜に行われる。また、図１〜図３には、前記前面壁２１、下面壁２２、後面壁２３及び上面壁２４の両側部を含む周縁に沿って補強用リブ２９を連続して設けて形態を示したが、各面壁に側端部近傍や面内の適宜な位置に部分的に設けてよい。
【符号の説明】
【００３０】
１  包装体、２  包装ケース、２Ｓ  ケース組み立て用シート、２１  前面壁、２２  下面壁、２３  後面壁、２４  上面壁、２５  糊代片、２６  折れ線、２７  台座部、２８  吊り下げ部、２９  補強用リブ、２１Ａ，２２Ａ，２３Ａ，２４Ａ  成形保持部、３  物品
【図１】
0005795558.tif 000002
【図２】
0005795558.tif 000003
【図３】
0005795558.tif 000004
【図４】
0005795558.tif 000005
【図５】
0005795558.tif 000006
【図６】
0005795558.tif 000007
【図７】
0005795558.tif 000008
【図８】
0005795558.tif 000009
【図９】
0005795558.tif 000010
【図１０】
0005795558.tif 000011
【図１１】
0005795558.tif 000012
【図１２】
0005795558.tif 000013
【図１３】
0005795558.tif 000014